(57)【要約】      （修正有）【課題】多重の強奪防止メカニズムを備え、強奪をより困難にすることができる、電撃噴煙現金輸送ケースを提供する。【解決手段】脱落防止安全設備１２２はケースに設置され、ピンまたはセキュリティベルトによりケースが強奪されたか否かを判断して離脱状態信号をコントローラ１２１に発信し、コントローラが離脱状態信号を受信すると、コントローラが警報器１２３、電撃装置１２４、電撃回路１２９、噴煙設備１２５を順に作動させ、多重の強奪防止及び警告表示プロセスを提供し、かつ全地球測位装置１２６が即時にＧＰＳ座標を生成し、無線信号伝送装置１２７で携帯電話通信ネットワークに接続して管理センターに接続し、該ＧＰＳ座標または関連状態を管理センターに送信し、かつ管理センターの直接制御を受けることができる。【選択図】図３
0003157226.tif 000002
【実用新案登録請求の範囲】
【請求項１】
電撃噴煙現金輸送ケースであって、ケース、コントローラ、脱落防止安全設備、警報器、電撃装置及び電撃回路、噴煙設備、全地球測位装置、無線信号伝送装置、電池モジュールを含み、
前記ケースが少なくとも１つの二重底層を備え、
前記コントローラが前記二重底層内に設置され、離脱状態信号を受信し、
前記脱落防止安全設備が、ピン孔スイッチ、ピン、セキュリティベルトを含み、前記セキュリティベルトと前記ピンが共同で回路を形成し、前記ピン孔スイッチを安全状態に維持し、かつ前記ピンが前記ピン孔から脱落したり、前記セキュリティベルトが切断されたりすると、前記ピン孔スイッチが前記離脱状態信号を前記コントローラに発信し、
前記警報器が、前記コントローラに電気的に接続され、かつ前記ケースの二重底層内に設置され、前記コントローラが前記離脱状態信号を受信すると、前記警報器を作動させて警報音を発生させ、
前記電撃装置が前記ケースの二重底層内に設置され、かつ前記コントローラに電気的に接続され、前記電撃回路が前記ケースの外側表面に分布され、前記コントローラが前記離脱状態信号を受信すると、前記電撃装置が高圧電流を発生して前記電撃回路に伝送し、
前記噴煙設備が前記コントローラに電気的に接続され、前記コントローラが前記離脱状態信号を受信すると、前記噴煙設備を作動させて目を引く煙霧を発生させ、
前記全地球測位装置が前記コントローラに電気的に接続され、ＧＰＳ座標を生成し、
前記無線信号伝送装置が前記コントローラに電気的に接続され、携帯電話通信ネットワークに接続し、管理センターに接続し、前記ＧＰＳ座標または前記ピン孔スイッチの状態を前記管理センターに送信し、
前記電池モジュールが電力を提供し、かつ交流電流コンセントで充電することができる、ことを特徴とする、
電撃噴煙現金輸送ケース。
【請求項２】
前記ケースがさらに蓋部を含み、該蓋部が開くと前記ケースの開口が露出されることを特徴とする、請求項１に記載の電撃噴煙現金輸送ケース。
【請求項３】
さらに複数のキャスター及び伸縮ハンドルを含み、前記キャスターが前記ケース底部に設置され、前記伸縮ハンドルが前記ケース上面に突出して設置されることを特徴とする、請求項１に記載の電撃噴煙現金輸送ケース。
【請求項４】
前記警報器がスピーカーまたはブザーであり、前記ケースの音声出力口から外部に向けて音を発することを特徴とする、請求項１に記載の電撃噴煙現金輸送ケース。
【請求項５】
前記コントローラが前記ピン孔スイッチの発する前記離脱状態信号を受信すると、前記コントローラが警報測定時間後に前記警報器を作動させて警報音を発生させることを特徴とする、請求項１に記載の電撃噴煙現金輸送ケース。
【請求項６】
前記コントローラが前記ピン孔スイッチの発する前記離脱状態信号を受信すると、前記コントローラが電撃測定時間後に前記電撃装置を作動させて高圧電流を発生させることを特徴とする、請求項１に記載の電撃噴煙現金輸送ケース。
【請求項７】
前記警報器、前記電撃装置、前記噴煙設備が順に作動されることを特徴とする、請求項１、４、５、又は６に記載の電撃噴煙現金輸送ケース。
【請求項８】
前記無線信号伝送装置が前記管理センターのコマンドを受信し、前記コントローラに送信して、前記警報器、前記電撃装置、前記噴煙設備を順に作動させることができることを特徴とする、請求項１に記載の電撃噴煙現金輸送ケース。
【請求項９】
さらにリモートコントローラと無線距離モニタリング装置を含み、前記無線距離モニタリング装置が前記コントローラに接続され、前記リモートコントローラの送信するオンまたはオフのコマンドを受信することを特徴とする、請求項１に記載の電撃噴煙現金輸送ケース。
【請求項１０】
前記無線距離モニタリング装置と前記リモートコントローラの距離が一定の閾値を超過すると、前記無線距離モニタリング装置がモニタリング結果を前記コントローラに送信することを特徴とする、請求項９に記載の電撃噴煙現金輸送ケース。
【考案の詳細な説明】
【技術分野】
【０００１】
本考案はセキュリティ装置に関し、特に警報、電撃、噴煙、全地球測位等の機能を統合した、電撃噴煙現金輸送ケースに関する。
【背景技術】
【０００２】
現在の貴重品輸送警備または銀行の現金護送方式は、ほとんどが手提げ袋、手提げケース等に貴重品や現金を入れて輸送を行っている。内容物は通常警備員が携帯し、さらにその他警備員が警護に当たる。前述の内容物は、貴重品や現金のほか、警報及び強奪防止設備を備えている。警報及び強奪防止設備には、トリガスイッチ、警報器、及び電撃装置などが含まれる。トリガスイッチはピンとピン孔を含み、ピンがピン孔から抜き取られると、トリガスイッチが警報器を作動させ、電撃装置に警報音を発生させる。電撃装置は電源、高圧コイル、及び導電ワイヤを含む。導電ワイヤは手提げ袋または手提げケースのハンドル、あるいは内容物の表面に張りめぐらされる。ピンがピン孔から抜き取られると、トリガスイッチが一定時間おいてから電撃装置の電源を起動し（警報音は一定時間後に発生）、高圧コイルにより高圧パルス電流を発生して導電ワイヤに流し、内容物に触れた人に電撃を与える。
【０００３】
しかしながら、警報及び強奪防止設備はピンを抜き取った後に作動する。このため、強奪犯が強奪の過程において警備員がピンを抜くのを制止したり、ピンを抜いた後にピンを挿し直したりすると、警報、電撃等の機能を停止することができる。同時に、強奪犯は容易に手提げ袋または手提げケースを自動車内やオートバイの足載せ上に置いて迅速に犯罪現場から逃げ去ることができる。
【０００４】
強奪の過程で警備員がうまくピンを抜いたとしても、強奪犯は原有の手提げ袋または手提げケースを別の袋やトランクなどの中に入れれば、ハンドル上の高電圧に接触しないため、阻止機能が失われる。同時に、前述の手提げ袋またはトランクは警報器の音を阻隔し、警報及び強奪防止設備に阻止及び注意喚起の機能を失わせることができ、かつ犯人が車やオートバイで逃げるときに警報及び強奪防止設備が歩行者や警察に直覚的に目視で異常状況の発生を知らせることができなくなる。
【０００５】
このため、現在現金または貴重品の護送用の警報及び強奪防止設備にはまだ機能不足な点があり、強奪犯によって容易に機能が妨げられ、効果的に強盗犯罪を防ぐことができない。
【考案の概要】
【考案が解決しようとする課題】
【０００６】
上述の問題に鑑みて、本考案の目的は、多重の強奪防止メカニズムを備え、強奪をより困難にすることができる、電撃噴煙現金輸送ケースを提供することにある。
【課題を解決するための手段】
【０００７】
上述の目的を達するため、本考案の電撃噴煙現金輸送ケースは、ケース、コントローラ、脱落防止安全設備、警報器、電撃装置、電撃回路、噴煙設備、全地球測位装置、電池モジュールを含む。ケースは少なくとも１つの二重底層を備え、コントローラが前記二重底層内に設置され、離脱状態信号の受信に用いられる。脱落防止安全設備はピン孔スイッチ、ピン、セキュリティベルトを含む。セキュリティベルト及びピンは共同で１つの回路を成し、ピン孔スイッチを安全状態に維持させ、ピンがピン孔から脱落したり、セキュリティベルトが切断されたりすると、ピン孔スイッチが離脱状態信号をコントローラに送信する。警報器はコントローラに電気的に接続され、かつケースの二重底層内に設置され、コントローラが離脱状態信号を受信すると、警報器が作動して警報音を発する。電撃装置はケースの二重底層内に設置され、かつコントローラに電気的に接続され、電撃回路がケースの外側表面に分布され、コントローラが離脱状態信号を受信すると、電撃装置が作動して高圧電流を発生し、電撃回路に送る。噴煙設備コントローラに電気的に接続され、前記コントローラが離脱状態信号を受信すると、噴煙設備が作動して目を引く煙霧を発生する。全地球測位装置は前記コントローラに電気的に接続され、ＧＰＳ座標を生成するために用いられる。無線信号伝送装置はコントローラに電気的に接続され、携帯電話通信ネットワークに接続するために用いられ、管理センターと接続し、ＧＰＳ座標または前記ピン孔スイッチの状態を管理センターに伝達する。電池モジュールは電力の提供に用いられ、かつ交流電流のコンセントで充電を行うことができる。
【考案の効果】
【０００８】
強奪を受けた場合、その過程において、ピンが脱落したり、セキュリティベルトが切断されたりすると、ピン孔スイッチが離脱状態信号をコントローラに発し、また無線距離モニタリング装置により人、車、ケース等が一定距離以上離れたと判断されると、能動的にコントローラを起動して警報器、電撃装置、噴煙設備を順に作動させることができる。運搬しにくいケース、及びコントローラが作動させる多重の強奪防止及び警報メカニズムにより、電撃噴煙現金輸送ケースを強奪する難度を高め、警備員が現金や貴重品を輸送するときの安全性を向上することができる。
【図面の簡単な説明】
【０００９】
【図１】本考案の実施例の立体図であり、蓋部を閉じた状態を示す。
【図２】本考案の実施例の立体図であり、蓋部を開いた状態を示す。
【図３】本考案の実施例の断面図である。
【図４】本考案の実施例の電路を示すブロック図である。
【図５】本考案の実施例中の噴煙設備の断面図である。
【考案を実施するための形態】
【００１０】
図１、図２に示すように、本考案の実施例が開示する電撃噴煙現金輸送ケース１００は、ケース１１０と安全モジュールを含む。
【００１１】
ケース１１０は長方形の箱体であり、ステンレス等の高硬度の材質から成る。ケース１１０は蓋部１１１を含み、蓋部を開けるとケース１１０の開口が露出され、現金や貴重品をその中に入れることができる。蓋部１１１は蓋部１１１を固定するためのロック装置を取り付けることができる。ケース１１０は変形せず、かつ一定の寸法を備えているため、強奪犯が自動車のトランクやオートバイへ運搬しにくく、強奪犯が犯罪現場から離れる機会を遅らせ、警備員により長い反撃時間を与えることができる。
【００１２】
図１、図２、図３に示すように、ケース１１０内には複数の二重底層１１２が設けられ、安全モジュールのさまざまな部材の収容に用いられる。ケース１１０はさらに複数のキャスター１１４及び伸縮ハンドル１１５を含み、キャスター１１４はケース１１０底部に設置され、伸縮ハンドル１１５はケース１１０上面から突出し、警備員がケース１１０を引いて運搬することができる。
【００１３】
図３、図４、図５に示すように、安全モジュールはケース１１０の二重底層１１２内に設置される。安全モジュールは、警報器１２３、電撃装置１２４、噴煙設備１２５、全地球測位装置１２６、無線信号伝送装置１２７、電池モジュール１２８を含む。前述の各部材はすべてコントローラ１２１に電気的に接続され、それぞれコントローラ１２１により制御され、かつそれぞれ電池モジュール１２８から電力が供給される。このほか、安全モジュールはさらに脱落防止安全設備１２２を含み、電撃噴煙現金輸送ケース１００が外力によって警護する警備員から強制的に離脱されられたか否かを検出することができる。
【００１４】
図４、図５に示すように、脱落防止安全設備１２２はコントローラ１２１に電気的に接続され、脱落防止安全設備１２２はピン孔スイッチ１２２ａ、ピン１２２ｂ、セキュリティベルト１２２ｃを含む。セキュリティベルト１２２ｃ及びピン１２２ｂは共同で回路を成し、ピン孔スイッチ１２２ａを安全状態に維持させる。セキュリティベルト１２２ｃは二つ折りにした導線を含むことができ、ピン１２２ｂの２つの電極に接続され、ピン１２２ｂをピン孔スイッチ１２２ａに挿入したとき導通を形成し、ピン孔スイッチ１２２ａに安全状態信号をコントローラ１２１に対して発信させる。ピン１２２ｂがピン孔から脱落したり、セキュリティベルト１２２ｃが切断されたりすると、ピン孔スイッチ１２２ａの導通が切断され、離脱状態信号がコントローラ１２１に対して発信される。セキュリティベルト１２２ｃは体に掛けたり、縛り付けたりする方式で警備員に連結され、電撃噴煙現金輸送ケース１００が強制的に警備員のそばから持ち去られると、セキュリティベルト１２２ｃがピン１２２ｂをピン孔スイッチ１２２ａから脱落させ、ピン孔スイッチ１２２ａが離脱状態信号を発信する。電撃噴煙現金輸送ケース１００が同時に現金輸送車または現金輸送員から一定距離以上離れると、ピン１２２ｂがピン孔スイッチ１２２ａから脱落し、能動的に離脱状態信号をコントローラに対して発信する。
【００１５】
図３、図４に示すように、警報器１２３はコントローラ１２１に電気的に接続され、かつケース１１０の二重底層１１２内に設置される。警報器１２３はスピーカーまたはブザーとすることができ、ケース１１０上の音声出力口から外部に音が発される。コントローラ１２１がピン孔スイッチ１２２ａの発する離脱状態信号を受信すると、コントローラ１２１は時間計測を開始し、離脱状態信号が警報計測時間（例えば５秒間）を超過して持続すると、コントローラ１２１が警報器１２３を作動させ、警報音の発生を開始させる。警報計測時間を設定する理由は、警備員の操作ミスでうっかりピン１２２ｂが抜けてしまった場合を回避するためである。操作ミスでうっかりピン１２２ｂが抜けてしまった場合、警報計測時間内に警備員はコントローラ１２１の設定を一時的に解除するか、すぐにピン１２２ｂをピン孔スイッチ１２２ａに挿入し直し、誤って警報が発生するのを防ぐことができる。
【００１６】
図１、図２、図３、図４に示すように、電撃装置１２４はケース１１０の二重底層１１２内に設置され、かつコントローラ１２１に電気的に接続され、コントローラ１２１の信号を受信して高圧電流を提供するために用いられる。電撃回路１２９がケース１１０の外側表面及び伸縮ハンドル１１５に分布され、かつ電撃装置１２４に電気的に接続され、高圧電流を受け取り、ケース１１０に触れた人に電撃を与えるために用いられる。同時に、電撃回路１２９は複数の回路を含み、単一の回路が断線し、電撃効果が失われることがないようにする。コントローラ１２１がピン孔スイッチ１２２ａの発する離脱状態信号を受信すると、コントローラ１２１は時間計測を開始し、離脱状態信号が電撃計測時間（例えば１０秒間）を超過して持続すると、コントローラ１２１が電撃装置１２４を作動させ、高圧電流の発生を開始させる。電撃計測時間を設定する理由は、警備員の操作ミスでうっかりピン１２２ｂが抜けてしまった場合を回避するためである。操作ミスでうっかりピン１２２ｂが抜けてしまった場合、電撃計測時間内に警備員はコントローラ１２１の設定を一時的に解除するか、すぐにピン１２２ｂをピン孔スイッチ１２２ａに挿入し直すか、一時的にケース１１０に接触しないようにして、警備員が電撃を受けることがないようにする。
【００１７】
図３、図４、図５に示すように、噴煙設備１２５は燃焼チャンバ１２５ａ、燃焼材１２５ｂ、点火装置１２５ｃを含む。燃焼チャンバ１２５ａはケース１１０の二重底層１１２内に設置され、かつ１つ以上の噴煙口１２５ｄによりケース１１０外部に連通される。燃焼チャンバ１２５ａは耐高温材質で製造され、燃焼材１２５ｂが燃焼チャンバ１２５ａ内に充填される。点火装置１２５ｃは少なくとも１つの部位が前記燃焼チャンバ１２５ａ内に位置し、前記燃焼材１２５ｂに点火するために用いられる。燃焼材１２５ｂが燃焼すると、特に赤色の煙霧など目を引く煙霧が発生する。燃焼材１２５ｂが燃焼チャンバ１２５ａ内でくすぶると、煙霧が噴煙口１２５ｄからケース１１０の外に噴出して目を引く効果を生み、電撃噴煙現金輸送ケース１００の位置を示し、警報器１２３の聲が遮断されたときに電撃噴煙現金輸送ケース１００の位置がわからなくなることがないようにする。燃焼材１２５ｂはさらにクロロアセトフェノン（Ｃｈｌｏｒｏａｃｅｔｏｐｈｅｎｏｎｅ、ＣＮ）催涙剤またはＯ−クロロベンジリデンマロノニトリル（Ｏ−Ｃｈｌｏｒｏｂｅｎｚｙｌｉｄｅｎｅ−Ｍａｌｏｎｏｎｉｔｒｉｌｅ、ＣＳ）催涙剤を含むことができ、くすぶった後に催涙ガスを発生し、噴煙口１２５ｄからケース１１０の外に噴出して、犯人を退けることができる。噴煙口１２５ｄの数は複数とすることができ、ケース１１０外部の複数の面上から噴煙させることができる。点火装置１２５ｃはコントローラ１２１に電気的に接続され、コントローラ１２１の信号を受信して点火するために用いられる。コントローラ１２１がピン孔スイッチ１２２ａの発する離脱状態信号を受信すると、コントローラ１２１が時間計測を開始し、離脱状態信号が噴煙計測時間（例えば１５秒間）を超過して持続すると、コントローラ１２１が点火装置１２５ｃを作動させて点火を開始させ、燃焼材１２５ｂをくすぶらせて煙霧を発生させる。噴煙計計測時間を設定する理由は、警備員の操作ミスでうっかりピン１２２ｂが抜けてしまった場合を回避するためである。操作ミスでうっかりピン１２２ｂが抜けてしまった場合、噴煙計計測時間内に警備員はコントローラ１２１の設定を一時的に解除するか、すぐにピン１２２ｂをピン孔スイッチ１２２ａに挿入し直すか、一時的にケース１１０に接触しないようにして、警備員が電撃を受けることがないようにする。
【００１８】
安全モジュールが作動すると、警報器１２３、電撃装置１２４、噴煙設備１２５が順に作動し、犯人に対して多重の障害を発生する。警報器１２３がすぐに犯人を撃退できない場合、後続の電撃装置１２４と噴煙設備１２５が犯人の逃げる過程において障害を発生する。
【００１９】
図３、図４に示すように、全地球測位装置１２６はコントローラ１２１に電気的に接続され、常態的にオンの状態とするか、作動されてオンになるようにし、ＧＰＳ座標を生成する。
【００２０】
無線信号伝送装置１２７はコントローラ１２１に電気的に接続され、かつケース１１０表面に延伸されたアンテナ１２７ａを備え、無線信号を受信する。無線信号伝送装置１２７は携帯電話通信ネットワークに接続するために用いられ、管理センターに接続して遞ＧＰＳ座標またはピン孔スイッチの状態を管理センターに伝達する。管理センターもコマンドを下すことができ、無線信号伝送装置１２７を介してコントローラ１２１に送信し、警報状態を作動させ、順に警報器１２３、電撃装置１２４、噴煙設備１２５を作動させることができる。同時に、管理センターは即時にＧＰＳ座標を警察に通報し、犯人が故意に電撃噴煙現金輸送ケース１００を隠してもその行為が意味を持たないようにする。
【００２１】
電池モジュール１２８は電池、充電回路、低電力インジケータを含み、電池は電力の提供に用いられ、充電回路は交流電力コンセントに接続し、電池に対して充電を行うことができる。低電力インジケータは電池の電力が閾値より低くなると、ランプまたは音で警告を発し、警備員または保守人員に充電するよう促すことができる。
【００２２】
本考案はさらにリモートコントローラ１３１と無線距離モニタリング装置１３２を含むことができ、無線距離モニタリング装置１３２はコントローラ１３１に接続され、リモートコントローラ１３１から送信されるオンまたはオフのコマンドを受信し、安全モジュールをオンまたはオフにすることができ、すなわちコントローラ１２１を切り替えてオフの状態にすることができる。警備員が現金の取り出しや交換の際に誤ってピン１２２ｂに触れたとき、一時的に安全モジュールをオフにすることができる。同時に、無線距離モニタリング装置１３２は距離監視測定メカニズムを提供し、リモートコントローラ１３１及び無線距離モニタリング装置１３２の距離を監視し、距離が閾値を超過したとき、警備員と電撃噴煙現金輸送ケース１００の距離が遠すぎることを表し、このとき無線距離モニタリング装置１３２がモニタリング結果を送信し、コントローラ１２１に安全モジュールをオンにすることができる。
【００２３】
本考案は強奪に遭遇したときに安全モジュールの作動を確保し、強奪の難度を高めることができ、安全モジュールが作動しなくても、管理センターが即時に電撃噴煙現金輸送ケース１００の動態を監視し、動態に異常が見つかった場合、リモートから安全モジュールを作動させ、かつ電撃噴煙現金輸送ケース１００の位置を取得し、警備員または警察に提供して犯人を追跡することができる。
【符号の説明】
【００２４】
１００            電撃噴煙現金輸送ケース
１１０            ケース
１１１            蓋部
１１２            二重底層
１１４            キャスター
１１５            伸縮ハンドル
１２１            コントローラ
１２２            脱落防止安全設備
１２２ａ          ピン孔スイッチ
１２２ｂ          ピン
１２２ｃ          セキュリティベルト
１２３            警報器
１２４            電撃装置
１２５            噴煙設備
１２６            全地球測位装置
１２７            無線信号伝送装置
１２８            電池モジュール
１２９            電撃回路
１２５ａ          燃焼チャンバ
１２５ｂ          燃焼材
１２５ｃ          点火装置
１２５ｄ          噴煙口
１２７ａ          アンテナ
１３１            リモートコントローラ
１３２            無線距離モニタリング装置
【図１】
0003157226.tif 000003
【図２】
0003157226.tif 000004
【図３】
0003157226.tif 000005
【図４】
0003157226.tif 000006
【図５】
0003157226.tif 000007